(57)【特許請求の範囲】
【請求項１】
遊技機本体と、
該遊技機本体に一端側の回動中心廻りに相対回動可能に装着された遊技盤と、
該遊技盤の裏側に後方へと突出して装着された裏部材と、を備え、
前記遊技機本体側に設けられた複数の第１コネクタと、
前記裏部材の前記回動中心と反対側に前記第１コネクタ側に突出して設けられ且つ前記遊技盤の相対回動により前記第１コネクタに略接線方向に接続される複数の第２コネクタと、
を備えた遊技機において、
前記回動中心から最も遠い側で前記回動中心に対して遠近方向に隣り合う少なくとも２の前記第２コネクタの内、
前記回動中心から遠い側の前記第２コネクタの前記裏部材に対する取り付け部は、
前記回動中心に近い側の前記第２コネクタの前記裏部材に対する取り付け部と前記回動中心側とを結ぶ線分よりも前記遊技盤に近い側に位置し、
前記回動中心に近い側の第２コネクタの前記遊技盤の裏面から後端側までの最大突出量と、前記回動中心から遠い側の第２コネクタの前記遊技盤の裏面から後端側までの最大突出量とが略同じである
ことを特徴とする遊技機。
【発明の詳細な説明】
【技術分野】
【０００１】
本発明は、パチンコ機、アレンジボール機、スロットマシン等の遊技機に関するものである。
【背景技術】
【０００２】
遊技機にはパチンコ機、アレンジボール機、スロットマシン等がある。例えばパチンコ機等の遊技機では、遊技島に着脱自在に固定される外枠と、この外枠に左右方向の一端側のヒンジ廻りに開閉自在に枢着され且つ遊技盤装着部を有する前枠とにより遊技機本体が構成され、その遊技盤装着枠に前側から遊技盤が着脱自在に装着されている。
【０００３】
遊技盤には前面の遊技領域に入賞手段その他の遊技部品が、裏側に入賞手段等の遊技動作を制御する主制御基板及び演出制御基板が夫々装着されている。また前枠には電源基板、発射制御基板、払い出し制御基板が装着されている。
【０００４】
この種の遊技機には、遊技盤装着部に第１ジョイント部を、遊技盤の裏側の裏部材の段部に第２ジョイント部を夫々配置して、遊技盤を左右方向の一端側の回動中心廻りに回動させて遊技盤装着部に着脱する際に、第２ジョイント部の第２コネクタと第１ジョイント部の第１コネクタとを電気的に着脱できるようにしたものがある（特許文献１、２）。
【０００５】
例えば第２ジョイント部では、遊技盤の一端側の回動中心と他端側の後方位置とを結ぶ線分上に取り付け部を形成し、この取り付け部の略同一面上に複数の第２コネクタを配置し、この各第２コネクタに対応して第１ジョイント部に複数の第１コネクタを配置して、第２コネクタと第１コネクタとが略接線方向に着脱するようになっている。
【先行技術文献】
【特許文献】
【０００６】
【特許文献１】特開２０１０−２６８８３５号公報
【特許文献２】特開２０１０−２８４２６３号公報
【発明の概要】
【発明が解決しようとする課題】
【０００７】
従来は第２ジョイント部の略同一面上の取り付け部に複数の第２コネクタを装着しているため、縦長状の第２コネクタを遠近方向に複数並べて配置するか、横長状の第２コネクタを上下方向に複数並べて配置するかを問わず、回動中心から遠い他端側の第２コネクタの突出量が、回動中心に近い側の第２コネクタの突出量に比べて非常に大となる。そのため遊技盤の着脱、運搬等に際して、回動中心から遠い他端側の第２コネクタが、他の物と接触して損傷する等の問題がある。
【０００８】
本発明は、このような従来の問題点に鑑み、回動中心から遠い側の第２コネクタの突出量を小さくできる遊技機を提供するものである。
【課題を解決するための手段】
【０００９】
本発明は、遊技機本体と、該遊技機本体に一端側の回動中心廻りに相対回動可能に装着された遊技盤と、該遊技盤の裏側に後方へと突出して装着された裏部材と、を備え、前記遊技機本体側に設けられた複数の第１コネクタと、前記裏部材の前記回動中心と反対側に前記第１コネクタ側に突出して設けられ且つ前記遊技盤の相対回動により前記第１コネクタに略接線方向に接続される複数の第２コネクタと、を備えた遊技機において、前記回動中心から最も遠い側で前記回動中心に対して遠近方向に隣り合う少なくとも２の前記第２コネクタの内、前記回動中心から遠い側の前記第２コネクタの前記裏部材に対する取り付け部は、前記回動中心に近い側の前記第２コネクタの前記裏部材に対する取り付け部と前記回動中心側とを結ぶ線分よりも前記遊技盤に近い側に位置し、前記回動中心に近い側の第２コネクタの前記遊技盤の裏面から後端側までの最大突出量と、前記回動中心から遠い側の第２コネクタの前記遊技盤の裏面から後端側までの最大突出量とが略同じである。
【００１０】
前記回動中心に対して遠近方向に隣り合う少なくとも２の前記取り付け部間に段差を設けてもよい。前記回動中心から遠い側の前記取り付け部又は前記第２コネクタと前記回動体との間隔は、前記回動中心に近い側の前記取り付け部又は前記第２コネクタと前記回動体との間隔と略同じ、又は前記回動中心に近い側の前記取り付け部又は前記第２コネクタと前記回動体との間隔よりも小さいことが望ましい。
【００１１】
少なくとも２の前記取り付け部は略平行であることが望ましい。少なくとも２の前記取り付け部の内、１の前記取り付け部は、前記回動体の回動中心又はその近傍と前記回動体の他端側から前記第１コネクタ側に離れた位置とを結ぶ線分上に略位置するものでもよい。
【００１２】
前記支持体は遊技盤装着部を有する遊技機本体であり、前記回動体は前記遊技盤装着部に着脱自在に装着可能な遊技盤であることもある。
【発明の効果】
【００１３】
本発明によれば、回動中心から遠い側の第２コネクタの突出量を小さくできる利点がある。
【図面の簡単な説明】
【００１４】
【図１】本発明の第１の実施形態を示すパチンコ機の斜視図である。
【図２】同パチンコ機の前枠、遊技盤の正面図である。
【図３】同パチンコ機の背面図である。
【図４】同パチンコ機の平面断面図である。
【図５】同パチンコ機の下部の縦断面図である。
【図６】同遊技盤の背面図である。
【図７】同前枠の右前の斜視図である。
【図８】同前枠の左前の斜視図である。
【図９】同前枠の裏側の斜視図である。
【図１０】同遊技盤の装着過程の平面断面図である。
【図１１】同固定手段の断面図である。
【図１２】同固定手段の斜視図である。
【図１３】同接続関係を示すブロック図である。
【図１４】同第２ジョイント部の分解斜視図である。
【図１５】同第２ジョイント部の背面図である。
【図１６】同第２ジョイント部の平面断面図である。
【図１７】同第２ジョイント部の平面断面図である。
【図１８】同第１ジョイント部の分解斜視図である。
【図１９】同第１ジョイント部の正面図である。
【図２０】同第１ジョイント部の平面断面図である。
【図２１】本発明の第２の実施形態を示す第２ジョイント部の背面図である。
【図２２】同第２ジョイント部の平面断面図である。
【図２３】本発明の第３の実施形態を示す第１・第２ジョイント部の平面断面図である。
【図２４】同第２ジョイント部の背面図である。
【図２５】本発明の第４の実施形態を示す第１・第２ジョイント部の平面断面図である。
【図２６】同第２ジョイント部の背面図である。
【図２７】本発明の第５の実施形態を示す第１・第２ジョイント部の縦断面図である。
【図２８】同第２ジョイント部の平面断面図である。
【図２９】本発明の第６の実施形態を示す平面断面図である。
【図３０】本発明の第７の実施形態を示す平面断面図である。
【図３１】本発明の第８の実施形態を示す平面断面図である。
【図３２】本発明の第９の実施形態を示す平面断面図である。
【図３３】本発明の第１０の実施形態を示す平面断面図である。
【発明を実施するための形態】
【００１５】
以下、本発明の実施形態を図面に基づいて詳述する。
【００１６】
図１〜図２０は本発明をパチンコ機に採用した第１の実施形態を例示している。図１〜図５において、１は遊技機本体で、矩形状の外枠２と、この外枠２の前側に左右方向の一端側のヒンジ３により開閉自在に枢着された前枠４とを備えている。前枠４には遊技盤５が着脱自在に装着され、その遊技盤５の前側にガラス扉６が、ガラス扉６の下側に前面扉７が夫々配置されている。
【００１７】
ガラス扉６、前面扉７はヒンジ３と同一側のヒンジ８により前枠４に開閉自在に枢着されている。ガラス扉６は遊技盤５の遊技領域９に対応する窓孔１０が形成された扉枠１１と、この扉枠１１の裏側に着脱自在に装着され且つ窓孔１０を塞ぐガラス板ユニット１２とを備え、窓孔１０のガラス板ユニット１２を介して遊技領域９を視認するようになっている。ガラス板ユニット１２は前後２枚のガラス板１２ａ，１２ｂと、このガラス板１２ａ，１２ｂを外周側から保持する保持部材１２ｃとを備えている。
【００１８】
前面扉７には発射用の遊技球を貯留する貯留皿１３と、発射操作用の発射ハンドル１４とが左右に配置され、また貯留皿１３の前縁部に演出操作用のチャンスボタン１５が設けられている。
【００１９】
なお、ガラス扉６と前面扉７とを一体にして一つの開閉扉を構成し、その開閉扉に窓孔１０、ガラス板ユニット１２、貯留皿１３、発射ハンドル１４等を設けてもよい。
【００２０】
遊技盤５には、ヒンジ３，８に近い一端側にガイドレール１６が、このガイドレール１６と反対側に前飾り部材１７が夫々装着され、その内側が略円形状の遊技領域９となっている。ガイドレール１６は所定の間隔を置いて内外に配置された略円弧状の内レール１６ａと外レール１６ｂとを有し、発射手段１８から発射された遊技球を両レール１６ａ，１６ｂ間を経て遊技領域９へと案内するようになっている。
【００２１】
遊技領域９には画像表示手段１９、普通図柄始動手段２０、特別図柄始動手段２１、可変入賞手段２２、普通入賞手段２３、普通図柄表示手段２４、特別図柄表示手段２５等の各種の遊技部品が配置されている。
【００２２】
画像表示手段１９は遊技領域９の左右方向の略中央の上部に配置され、また特別図柄始動手段２１、可変入賞手段２２は画像表示手段１９の下側に上下に配置されている。普通入賞手段２３は可変入賞手段２２の左右両側に設けられている。特別図柄始動手段２１は非開閉式入賞口２１ａと開閉式入賞口２１ｂとを有する。普通図柄始動手段２０は画像表示手段１９とガイドレール１６との間に配置されている。
【００２３】
画像表示手段１９は液晶式等の画像表示部３０と、画像表示部３０に対応する表示窓２６を有し且つ遊技盤５の前面に装着された前飾り枠２７とを備えている。前飾り枠２７の上部側の前面に普通図柄表示手段２４と特別図柄表示手段２５とが装着されている。
【００２４】
普通図柄表示手段２４は普通図柄を変動表示するためのもので、複数種類の普通図柄（例えば二種類の「○」「×」）に対応する複数個の発光素子により構成されており、普通図柄始動手段２０が遊技球を検出することを条件に２個の発光素子が交互に点灯するように所定時間点滅して、普通図柄始動手段２０の遊技球の検出により抽選された乱数値が予め定められた特定態様判定値と一致した場合に特定態様の「○」側の発光素子が点灯し、それ以外の場合に外れ態様の「×」側の発光素子が点灯して停止する。
【００２５】
特別図柄表示手段２５は発光部位の変化等で特別図柄を変動表示可能なセグメント式等により構成されており、特別図柄始動手段２１が遊技球を検出することを条件に、特別図柄が所定時間変動して、特別図柄始動手段２１の遊技球の検出により抽選された乱数値が予め定められた特別態様判定値と一致した場合に所定の特別態様で、それ以外の場合に外れ態様で停止するようになっている。
【００２６】
特別図柄始動手段２１の開閉式入賞口２１ｂは、普通図柄表示手段２４の変動後の停止図柄が特定態様となったときに所定時間（短時間）だけ開放するようになっている。可変入賞手段２２は可変入賞口２２ａを開閉する開閉板２２ｂを有し、特別図柄表示手段２５の変動後の特別図柄が特別態様となって特別遊技状態が発生したときに開閉板２２ｂが前側に開放して、上方から落下する遊技球を入賞させるようになっている。特別遊技状態中は開閉板２２ｂの開放から所定時間（例えば３０秒程度）が経過するか、その間に所定数（例えば１０個）の遊技球が入賞したときに開閉板２２ｂを閉じる動作を１ラウンドとし、この動作を所定回数（例えば１６ラウンド）継続するようになっている。
【００２７】
画像表示部３０は特別図柄表示手段２５の特別図柄に対応する演出図柄を変動表示する等、遊技の進行に従って適宜タイミングで各種の演出画像を随時表示するものである。即ち、この画像表示部３０には、特別図柄の変動に同期して１個又は複数個、例えば３個の演出図柄２８ａ〜２８ｃが変動表示される。このとき演出図柄２８ａ〜２８ｃは特別図柄始動手段２１の遊技球の検出を条件に、抽選により決定された所定の演出図柄変動パターンを経て所定時間変動した後、特別図柄の変動終了に同期して所定の順序（例えば左、右、中等の順序）で順次停止する。
【００２８】
演出図柄２８ａ〜２８ｃの変動後の停止図柄は、特別図柄が特別態様で停止する場合には全てが揃う特別演出態様となり、特別図柄が外れ態様で停止する場合には少なくとも一部が異なる外れ演出態様となる。
【００２９】
例えば、演出図柄２８ａ〜２８ｃには０〜９までの数字図柄が使用されており、特別図柄が特別態様で停止する場合には演出図柄２８ａ〜２８ｃは「７・７・７」等の特別演出態様で停止し、特別図柄が外れ態様で停止する場合には演出図柄２８ａ〜２８ｃは「２・３・４」等の外れ演出態様で停止する。
【００３０】
画像表示手段１９は変動後の特別図柄が特別態様となる信頼度の高い演出図柄変動パターンを抽選したとき等、遊技者に対して期待感を抱かせる所定の遊技状態、例えば１個の演出図柄２８ｂを除く２個の演出図柄２８ａ，２８ｃが同じとなるリーチとなった場合に、画像表示部３０の所定箇所にチャンスボタン１５の操作を指示する操作指示画像２９を表示する。
【００３１】
なお、画像表示手段１９の操作指示画像２９に従って遊技者が図柄変動中に適宜タイミングでチャンスボタン１５を操作すれば、チャンスボタン１５が明滅発光する発光状態となって、その後の特別態様での特別図柄の停止、及びこれに続く特別遊技状態の発生を予告する。
【００３２】
遊技盤５の裏側には、図６に示すように、画像表示手段１９、可変入賞手段２２等の遊技部品を裏側から覆う裏カバー３２が装着されている。裏カバー３２は、画像表示手段１９等を裏側から覆う上部カバー３３と、この上部カバー３３の下側に配置され且つ可変入賞手段２２等を裏側から覆う集球ケース３４とを備え、これら上部カバー３３と集球ケース３４は遊技盤５の裏面に個別に装着されている。集球ケース３４は下部側に排出口３４ａを備え、可変入賞手段２２等に入賞して遊技盤５の裏側に案内された遊技球を集めて排出口３４ａから下方に排出するように構成されている。
【００３３】
裏カバー３２の裏側、例えば集球ケース３４の裏側には、主制御基板３６を収容する主基板ケース３７が突部３４ｂの裏側に着脱自在に装着されると共に、その突部３４ｂに対して他端側に形成された段部３４ｃに第２ジョイント部（盤側ジョイント部）３８が配置されている。また上部カバー３３の裏側には、演出制御基板３９を収容する演出基板ケース４０と液晶制御基板４１を収容する液晶基板ケース４２とが着脱自在に装着されている。なお、上部カバー３３、集球ケース３４を含む裏カバー３２により、遊技盤５の裏側に突出して装着された裏部材が構成されている。
【００３４】
前枠４は合成樹脂製であって、図７〜図９に示すように、外枠２の前側に当接する矩形状の枠部４５を有し、この枠部４５内の上部に遊技盤装着部４６が、この遊技盤装着部４６の下側に下部装着部４７が夫々設けられ、また遊技盤装着部４６の後側に、裏カバー３２の外周側に対応する後部ケース４８が設けられている。
【００３５】
遊技盤装着部４６は下部装着部４７の上側に略水平状に配置され且つ遊技盤５を下側から受ける受け部４９と、遊技盤５の左右両側で受け部４９の左右両端に上下方向に設けられた側壁部５０，５１と、遊技盤５の上側で両側壁部５０，５１間に設けられた上壁部５２とを一体に有し、遊技盤５を前側から着脱自在に挿入するようになっている。なお、遊技盤装着部４６は遊技盤５を裏側から着脱するようにしてもよい。
【００３６】
遊技盤装着部４６の左右方向の一端側であるヒンジ３，８側には、その側壁部５０の前後両側に遊技盤５の板厚分の間隔を置いて係合部５０ａと当接部５０ｂとが設けられており、遊技盤５を装着するときに、図１０に示すように、係合部５０ａと当接部５０ｂとの間に遊技盤５の一端側を挿入して、その一端側の回動中心Ｏ廻りに遊技盤５をａ矢示方向に回動させるようになっている。
【００３７】
係合部５０ａは上下方向に複数あり、当接部５０ｂは後部ケース４８の前面等により構成されている。当接部５０ｂには、遊技盤５の一端側を係合部５０ａ側に付勢する板バネ等の付勢手段５０ｃが上下方向に複数設けられている。
【００３８】
遊技盤装着部４６の他端側の側壁部５１には、遊技盤５を遊技盤装着部４６内に挿入するときに、この遊技盤５を一端側の側壁部５０へと左右方向に押圧するための押圧部５１ａが設けられている。押圧部５１ａは上下方向に複数設けられており、前後方向に長いリブ等により構成され、その前部側には遊技盤５を案内する案内部が傾斜状に設けられている。遊技盤装着部４６の上壁部５２の下面にも、遊技盤５を受け部４９上に押圧する押圧部５２ａが左右方向に複数設けられている。
【００３９】
遊技盤５の回動中心Ｏは、図１０に示すように、遊技盤５の一端側の板厚方向の略中央部又はその前後近傍となる。これは遊技盤５を遊技盤装着部４６に装着する際に、遊技盤５の一端側を係合部５０ａと当接部５０ｂとの間に挿入して、遊技盤５の他端側を遊技盤装着部４６内へと押し込むときに、遊技盤５の一端側が係合部５０ａと当接部５０ｂとによって前後両側から規制されながら、遊技盤５が一端側の板厚方向の略中央部又はその前後近傍を中心としてａ矢示方向に回動するためである。なお、遊技盤５は最終段階では他端側の押圧部５１ａによって押圧されて、遊技盤装着部４６内で左右方向の一端側へと移動する。
【００４０】
なお、回動中心Ｏは遊技盤５の一端側の板厚内が一般的であるが、遊技盤装着部４６に対する装着時に遊技盤５が係合部５０ａとの接触部分を支点として、その支点位置廻りに遊技盤５が回動するような場合には、遊技盤５の一端側の前面が回動中心Ｏとなる。
【００４１】
また遊技盤５の一端側の前又は後に回動軸を設けて、その回動軸廻りに遊技盤５が回動するような場合には、その回動軸が回動中心Ｏとなる。従って、回動中心Ｏは遊技盤５の一端側の板厚内の他、その前側又は後側の所要範囲内であればよい。
【００４２】
遊技盤装着部４６内の他端側には、図２、図７及び図８に示すように、遊技盤５の他端側を保持して固定する上下一対の固定手段５３，５４が設けられている。各固定手段５３，５４は前枠４の後部ケース４８の前面から遊技盤装着部４６内に突出している。上側の固定手段５３は遊技盤５の他端側上部の切り欠き部５ａに他端側から係合するように縦軸心廻りに内向きに配置され、また下側の固定手段５４は遊技盤５の他端側に下側から係合するように横軸心廻りに上向きに配置されている。
【００４３】
各固定手段５３，５４は、遊技盤５の装着時に遊技盤５を遊技盤装着部４６内の所定の装着位置まで押し込む機能と、遊技盤５の離脱時に遊技盤装着部４６内の遊技盤５を前側に押し出す機能と、遊技盤５を装着位置にロックして固定する機能とを有する。
【００４４】
各固定手段５３，５４は、例えば図１１、図１２に下側の固定手段５４を例示するように、後部ケース４８の前壁部４８ａに固定された取り付けブラケット５５と、取り付けブラケット５５に横方向の第１枢軸５６を介して回動自在に枢支され且つ遊技盤５が着脱自在に係合する略コ字状の係合部材５７と、係合部材５７を第１枢軸５６廻りに時計方向に操作して遊技盤５を遊技盤装着部４６内の装着位置へと後方に押し込み、また係合部材５７を第１枢軸５６廻りに反時計方向に操作して装着位置の遊技盤５を遊技盤装着部４６外へと前方に押し出すための操作部５８ａと、係合部材５７が遊技盤５を装着位置へと押し込んだときにその装着位置で係合部材５７をロックするロック機構５９とを備え、またロック機構５９に解除用の操作部６１ａが設けられている。
【００４５】
係合部材５７は、操作部５８ａと押し込み係合部５８ｂとを有するＬ字状の前係合体５８と、押し出し係合部６０ｂを有するＬ字状の後係合体６０とを、その係合部５８ｂ，６０ｂ間に遊技盤５の右端部が係脱自在に係合するように略コ字状に組み合わせて構成されている。後係合体６０は中間が第１枢軸５６により取り付けブラケット５５に枢支され、また後係合体６０の前端部と前係合体５８の中間部が第１連結軸６２により枢着されている。
【００４６】
前係合体５８の後端部には第１連結軸６２を中心とする長孔５８ｃが形成され、その長孔５８ｃに第１枢軸５６が遊嵌されている。また両係合体５８，６０は第１連結軸６２に套嵌されたバネ６３により両係合部５８ｂ，６０ｂが略平行な閉状態を保つように付勢されており、係合部５８ｂ，６０ｂ間に遊技盤５が係合した状態で係合部材５７が第１枢軸５６廻りに回動するときに、長孔５８ｃの範囲内で両係合体５８，６０が第１連結軸６２廻りに開閉可能である。
【００４７】
ロック機構５９は一端が第１連結軸６２により係合部材５７の前端側に枢着された操作リンク６１と、一端が第２枢軸６５により取り付けブラケット５５に枢着された連結リンク６４とを備え、その操作リンク６１と連結リンク６４とを第２連結軸６６により屈折自在に連結して構成されている。
【００４８】
そして、ロック機構５９は係合部材５７が装着位置まで回動したときに、第２連結軸６６が第１連結軸６２と第２枢軸６５とを結ぶ線分よりも後側に位置した状態で操作リンク６１の当接部６１ｂが取り付けブラケット５５の当接部５５ａに当接してロックし、係合部材５７が第１枢軸５６廻りに押し出し方向に回動しないように規制する。
【００４９】
操作リンク６１はくの字状であって、一端側に第１連結軸６２が、他端側に操作部６１ａが夫々設けられ、その中間に第２連結軸６６と当接部６１ｂとが設けられている。ロック機構５９は操作リンク６１の当接部６１ｂが取り付けブラケット５５の当接部５５ａに当接するロック状態から操作部６１ａを前側へと操作すれば、第２連結軸６６が第１連結軸６２と第２枢軸６５とを結ぶ線分よりも前側へと移動してロックを解除することができる。
【００５０】
なお、取り付けブラケット５５、係合体５８，６０、操作リンク６１、連結リンク６４はコの字状に構成されている。ロック機構５９は操作リンク６１を取り付けブラケット５５側に、連結リンク６４を係合部材５７側に夫々連結してもよい。また取り付けブラケット５５、係合部材５７、操作リンク６１、連結リンク６４により四節リンク機構が構成されている。
【００５１】
下部装着部４７は遊技盤装着部４６の下側に横長矩形状に形成されており、この下部装着部４７には左右方向の略中央に発射手段１８が配置され、この発射手段１８の側方に下部スピーカ６９が配置されている。
【００５２】
発射手段１８は、図２に示すように、板金製の支持板７０と、この支持板７０の前面に装着された発射レール７１と、支持板７０の前面で前後方向の駆動軸７２廻りに揺動自在に支持された打撃槌７３と、支持板７０の裏側に装着され且つ打撃槌７３を打撃方向に駆動するロータリソレノイド等の発射駆動手段７４等を備え、発射ハンドル１４を操作したときに発射駆動手段７４が打撃槌７３を打撃方向（時計廻り）に間欠的に駆動して、貯留皿１３から発射レール７１上に供給された遊技球を打撃して遊技盤５のガイドレール１６側へと発射させるようになっている。
【００５３】
下部スピーカ６９は箱状のスピーカキャビネット６９ａに組み込まれており、そのスピーカキャビネット６９ａは下部装着部４７から裏側へと凹入する凹部４７ａに嵌め込んで着脱自在に取り付けられている。なお、下部スピーカ６９は前面扉７の発射ハンドル１４の後方に位置し、発射ハンドル１４の周辺で前面扉７に形成された小孔から音声を出すようになっている。
【００５４】
後部ケース４８は遊技盤５の裏側の裏カバー３２等を取り囲む周壁部７６を有し、図３に示すように、後開口４８ｂ側が開閉蓋７７により塞がれている。開閉蓋７７は一端側のヒンジ（図示省略）により開閉自在に枢着され、他端側で施錠されている。後部ケース４８内の上部前端側には左右両側に上部スピーカ（図示省略）が装着されている。
【００５５】
また後部ケース４８には、図３、図７及び図９に示すように、後開口４８ｂに対してヒンジ３，８と同じ一端側に取り付け部４８ｃが上下方向に設けられ、この取り付け部４８ｃに、遊技球を払い出す払い出し手段７８と、この払い出し手段７８から払い出された遊技球を貯留皿１３へと案内する通路ユニット７９とが装着されている。また後部ケース４８には、周壁部６７の上側に、払い出し用の遊技球を貯留する遊技球タンク８０と、この遊技球タンク８０内の遊技球を払い出し手段７８側へと案内する案内レール８１とが前後に装着されている。
【００５６】
後部ケース４８の下部側には、図３、図８及び図９に示すように、下部装着部４７の裏側に対応する基板装着台８２と、遊技盤装着部４６の後方側で第２ジョイント部３８に対応する第１ジョイント部（枠側ジョイント部）８３とが装着されている。基板装着台８２は後部ケース４８の裏側に着脱自在に装着されており、この基板装着台８２の裏側に、電源基板８４を収容する電源基板ケース８５と、払い出し基板８６を収容する払い出し基板ケース８７とが着脱自在に装着されている。
【００５７】
図４に示すように、第２ジョイント部３８には複数の第２コネクタ（盤側コネクタ）８８ａ〜８８ｄが、第１ジョイント部８３には複数の第１コネクタ（枠側コネクタ）８９ａ〜８９ｄが夫々前後に相対応して設けられており、遊技盤５を遊技盤装着部４６に着脱するときに、第２ジョイント部３８の第２コネクタ８８ａ〜８８ｄと第１ジョイント部８３の第１コネクタ８９ａ〜８９ｄとが電気的に着脱して、遊技盤５を遊技盤装着部４６に装着したときに前枠４と遊技盤５との電気系統を一括して接続するようになっている。
【００５８】
第１コネクタ８９ａ〜８９ｄと第２コネクタ８８ａ〜８８ｄは電気系統の対象別に例えば４組あり、図１３に示すように接続されている。即ち、第２コネクタ８８ａは中継コネクタ９０ａ、ハーネス９１ａを介して主制御基板３６の信号出力部に接続され、第２コネクタ８８ｂは中継コネクタ９０ｂ、ハーネス９１ｂを介して主制御基板３６の電源部に接続されている。第２コネクタ８８ｃは中継コネクタ９０ｃ、ハーネス９１ｃを介して演出制御基板３９の演出信号出力部に接続され、第２コネクタ８８ｄは中継コネクタ９０ｄ、ハーネス９１ｄを介して演出制御基板３９、液晶制御基板４１の電源部に接続されている。
【００５９】
また第１コネクタ８９ａはハーネス９２ａを介して電源基板８４に接続され、第１コネクタ８９ｂはハーネス９２ｂを介して払い出し制御基板８６に接続されている。第１コネクタ８９ｃはハーネス９２ｃを介して、ガラス扉６の前面側の装飾ランプ（図示省略）を制御する装飾制御基板９３に接続され、第１コネクタ８９ｄはハーネス９２ｄを介して電源基板８４に接続されている。
【００６０】
なお、第２コネクタ８８ａ〜８８ｄは雌型とし、第１コネクタ８９ａ〜８９ｄは雄型としているが、逆でもよい。また第２コネクタ８８ａ〜８８ｄ、第１コネクタ８９ａ〜８９ｄの数は４個に限定されず、２個又は３個でもよいし、５個以上でもよい。
【００６１】
第２ジョイント部３８と第１ジョイント部８３は、図４に示すように、遊技盤５の回動中心Ｏから遠い他端側で前後に相対応して遊技盤５と遊技盤装着部４６とに設けられている。第２ジョイント部３８、第１ジョイント部８３には、遊技盤５の回動中心Ｏに対して遠近方向（左右方向）に所定間隔を置いて４組のコネクタ８８ａ〜８８ｄ，８９ａ〜８９ｄが、その長手方向を縦方向に向けて縦長状に配置されている。
【００６２】
各コネクタ８８ａ〜８８ｄ，８９ａ〜８９ｄは、遊技盤５が回動中心Ｏ廻りに回動したときに、相対応するもの同士が互いに略接線方向に着脱するように略接線方向に沿って傾斜状に設けられている。
【００６３】
第２ジョイント部３８には、図１４〜図１７に示すように、３枚の中継基板９４ａ〜９４ｃが配置されている。３枚の中継基板９４ａ〜９４ｃの内、回動中心Ｏから遠い他端側の２枚の中継基板９４ｂ，９４ｃは縦長状であり、その各中継基板９４ｂ，９４ｃの上部側に中継コネクタ９０ｃ，９０ｄが、下部側に第２コネクタ８８ｃ，８８ｄが夫々装着されている。他の１枚の中継基板９４ａは他の２枚の中継基板９４ｂ，９４ｃに比較して左右方向に二倍程度の幅を有し、その中継基板９４ａには上部側の左右に中継コネクタ９０ａ，９０ｂが、下部側の左右に第２コネクタ８８ａ，８８ｂが夫々装着されている。
【００６４】
第１ジョイント部８３には、図１８〜図２０に示すように、第２ジョイント部３８の３個の取り付け部９５ａ〜９５ｃに対応して第１コネクタ８９ａ〜８９ｄ用の取り付け部９６ａ〜９６ｃが３個設けられている。なお、第２コネクタ８８ａ〜８８ｄ毎に中継基板を設けてもよい。
【００６５】
第２ジョイント部３８には、図１６、図１７に示すように、左右方向に３個の取り付け部９５ａ〜９５ｃが段差１００を介して階段状に形成され、その取り付け部９５ａ〜９５ｃに中継基板９４ａ〜９４ｃが装着されている。各取り付け部９５ａ〜９５ｃはその前側に形成された前壁部９７と、この前壁部９７から後方に突出する複数の基板受け部９８とを有し、この各取り付け部９５ａ〜９５ｃの裏面側に中継基板９４ａ〜９４ｃが取り付けられている。
【００６６】
各中継基板９４ａ〜９４ｃは複数の基板受け部９８の後端に当接され、前壁部９７側の取り付けボスに螺合するネジ９９等により着脱自在に固定されている。なお、各取り付け部９５ａ〜９５ｃは仕切り壁等で区画して、その仕切り壁等の内側に複数の基板受け部９８を設けてもよい。
【００６７】
各取り付け部９５ａ〜９５ｃの内、遊技盤５の一端側から最も遠い他端側の取り付け部９５ｃ、取り分けその前壁部９７の裏面は、図４、図１０、図１６及び図１７に示すように、遊技盤５の一端側の回動中心Ｏ又は回動中心Ｏの近傍と遊技盤５から後方（第１コネクタ９０ａ〜９０ｄ）に離れた位置とを結ぶ線分Ｘ上に略配置されている。なお、取り付け部９５ｃは前壁部９７の前面側、又は基板受け部９８の後端側を線分Ｘ上に配置してもよい。特に取り付け部９５ｃに対する中継基板９４ｃの取り付け面を構成する基板受け部９８の後端を線分Ｘ状に配置をしてもよい。
【００６８】
また取り付け部９５ｃよりも回動中心Ｏに近い側の各取り付け部９５ａ，９５ｂの前壁部９７は、順次後側に所定の段差１００を介して取り付け部９５ｃの前壁部９７と略平行に形成されている。
【００６９】
各取り付け部９５ａ〜９５ｃ相互は、図１６に示すように、他端側の各取り付け部９５ｃ，９５ｂの一端側に、後方へと突出する寸法Ｈの段差１００を介して一端側の各取り付け部９５ｂ，９５ａが略平行に形成されている。そして、最も近い側の１個の第２コネクタ８８ａを除く遠い側の３個の第２コネクタ８８ｂ〜８８ｄ、又は各取り付け部９５ａ〜９５ｃの第２コネクタ８８ｂ〜８８ｄに対応する部分は、遊技盤５から後方に略同程度のＨ１離れた位置に夫々配置されている。従って、第２コネクタ８８ｂ〜８８ｄは遊技盤５から後方への突出量が略同じとなっている。
【００７０】
即ち、遠近方向に隣り合う３個の取り付け部９５ａ〜９５ｃの内、回動中心Ｏから遠い側の各取り付け部９５ｂ，９５ｃは、回動中心Ｏに近い側の各取り付け部９５ａ，９５ｂと回動中心Ｏ側とを結ぶ線分Ｘ１，Ｘ２よりも段差１００の寸法Ｈ分だけ遊技盤５に接近して配置されており、取り付け部９５ａ〜９５ｃは回動中心Ｏの軸心方向から見て左右方向に延びる階段状に配置されている。
【００７１】
各取り付け部９５ａ〜９５ｃに中継基板９４ａ〜９４ｃを介して装着された４個の第２コネクタ８８ａ〜８８ｄの内、少なくとも他端側の３個の第２コネクタ８８ｂ〜８８ｄは、遊技盤５からの前後方向の距離が略同程度であり、一端側の１個の第２コネクタ８８ａは他の３個の第２コネクタ８８ｂ〜８８ｄよりも若干遊技盤５側に配置されている。
【００７２】
一方、４個の第１コネクタ８９ａ〜８９ｄの内、少なくとも回動中心Ｏから遠い他端側の３個の第１コネクタ８９ｂ〜８９ｄは、３個の第２コネクタ８８ｂ〜８８ｄに対応して遊技盤５からの距離が略同程度であり、一端側の１個の第１コネクタ８９ａは一端側の１個の第２コネクタ８８ａに対応して３個の第１コネクタ８９ｂ〜８９ｄよりも若干遊技盤５側に突出して配置されている。
【００７３】
第２コネクタ８８ａ〜８８ｄと中継コネクタ９０ａ〜９０ｄとの間には、中継コネクタ９０ａ〜９０ｄに接続されるハーネス９１ａ〜９１ｄが第２コネクタ８８ａ〜８８ｄの裏側に食み出さないように、両者間を仕切る仕切り用のカバー１０２が配置されている。カバー１０２は中継コネクタ９０ａ〜９０ｄの下部側を裏側から覆う形状であり、周方向に複数のネジ１０３等により第２ジョイント部３８に着脱自在に固定されている。なお、カバー１０２には中継コネクタ９０ａ〜９０ｄの角部に対応して切り欠き部１０２ａが形成されている。
【００７４】
なお、各第２コネクタ８８ａ〜８８ｄ毎に取り付け部を設けて、その各取り付け部に中継基板を介して各第２コネクタ８８ａ〜８８ｄを設けることにより、各第２コネクタ８８ａ〜８８ｄと遊技盤５との間隔を略同一にしてもよいが、回動中心Ｏから遠い他端側にある複数の２個又は３個の第２コネクタと遊技盤５との間隔が略同程度であればよい。
【００７５】
第１ジョイント部８３は、図１８〜図２０に示すように、第２ジョイント部３８に対応して配置された取り付け板１０４と、この取り付け板１０４を裏側から覆い且つ支持する取り付け台１０５と、取り付け板１０４の前面にフローティング可能に装着された４個の第１コネクタ８９ａ〜８９ｄとを有する。
【００７６】
取り付け板１０４は第２ジョイント部３８の各取り付け部９５ａ〜９５ｃと略平行に階段状に形成された取り付け部９６ａ〜９６ｃを有し、取り付け台１０５の取り付けボス１０８に前側からネジ１０６により着脱自在に固定されている。取り付け板１０４にはフローティング手段１０７を介して第１コネクタ８９ａ〜８９ｄがフローティング可能に装着されている。
【００７７】
フローティング手段１０７は第１コネクタ８９ａ〜８９ｄの通孔１０７ａに遊動可能に設けられた鍔付き筒体等の遊動体１０７ｂと、この遊動体１０７ｂを取り付け部９６ａ〜９６ｃに固定する取り付けネジ１０７ｃとを備え、遊動体１０７ｂと通孔１０７ａとの間の遊び分により第１コネクタ８９ａ〜８９ｄを取り付け部９６ａ〜９６ｃに対してフローティング可能にしている。
【００７８】
取り付け台１０５は取り付け板１０４の裏側に対応する裏板部１０５ａと、裏板部１０５ａの一側の側板部１０５ｂと、裏板部１０５ａ及び側板部１０５ｂの下側の下板部１０５ｃとを一体に備え、その下板部１０５ｃが基板装着台８２に一体に形成され、また裏板部１０５ａ又は側板部１０５ｂの適当箇所が後部ケース４８の側壁部５１等にネジ等で着脱自在に固定されている。
【００７９】
このような構成のパチンコ機において、遊技盤５を遊技盤装着部４６に装着する場合には、図１０に二点鎖線で示すように、遊技盤５の一端側を遊技盤装着部４６の一端側の当接部５０ｂと係合部５０ａとの間に遊技盤５の一端側を挿入する。そして、その状態で遊技盤５の他端側を遊技盤装着部４６側へと押圧して、遊技盤５を一端側の回動中心Ｏ廻りに回動させながら遊技盤装着部４６内に押し込む。
【００８０】
これによって遊技盤５を遊技盤装着部４６内の装着位置に装着できると共に、第２ジョイント部３８の第２コネクタ８８ａ〜８８ｄと第１ジョイント部８３の第１コネクタ８９ａ〜８９ｄとを接線方向に接続でき、また遊技盤装着部４６内の遊技盤５を他端側の一対の固定手段５３，５４により固定できる。
【００８１】
即ち、遊技盤５の装着に際しては、図１１に二点鎖線で示すように、予め上下の固定手段５３，５４の係合部材５７を前向き状態にして置き、次に遊技盤５の一端側を受け部４９上に載せてその一端側を遊技盤装着部４６の当接部５０ｂと係合部５０ａとの間に挿入する。次に遊技盤５の他端側を遊技盤装着部４６側へと押圧すると、遊技盤５の一端側が当接部５０ｂと係合部５０ａとにより前後両側から挟まれているため、遊技盤５が板厚方向の略中央近傍の回動中心Ｏ廻りにａ矢示方向に回動して、その他端側が固定手段５３，５４の係合部材５７に当接する。
【００８２】
次に係合部材５７の操作部５８ａを後側へと押圧すると、係合部材５７が第１枢軸５６廻りに時計方向（図１１のｂ矢示方向）に回動し、前係合体５８の押し込み係合部５８ｂにより遊技盤５を遊技盤装着部４６内へと押し込む。これによって一端側の回動中心Ｏ廻りにａ矢示方向に回動しながら遊技盤５を遊技盤装着部４６内の装着位置まで押し込むことができる。
【００８３】
このとき係合部材５７が第１枢軸５６廻りに時計方向に回動すると、その回動に伴ってロック機構５９の操作リンク６１と連結リンク６４とが伸長し、遊技盤５の装着位置まで係合部材５７が回動したときに最大伸長状態となり、それ以上は回動しなくなる。そして、操作リンク６１の操作部６１ａを反時計方向に若干操作しておけば、操作リンク６１と連結リンク６４とが逆方向に屈折して当接部５５ａ，６１ｂ同士が当接し、係合部材５７を解除不能にロックすることができる。
【００８４】
一方、遊技盤５が遊技盤装着部４６内に入ると、遊技盤装着部４６の他端側の側壁部５１に押圧部５１ａがあり、この押圧部５１ａにより遊技盤５の他端側が一端側へと左右方向に押圧されるので、遊技盤装着部４６内への押し込みに従って遊技盤５の一端側がｃ矢示方向へと移動して側壁部５０に当接する。従って、遊技盤５の一端側を側壁部５０に当接した状態で当接部５０ｂと係合部５０ａとにより保持でき、他端側を固定手段５３，５４により保持できるため、遊技盤５を遊技盤装着部４６内の装着位置に固定することができる。
【００８５】
また遊技盤５が遊技盤装着部４６内の装着位置の手前近傍まで達すると、第２ジョイント部３８の各第２コネクタ８８ａ〜８８ｄと第１ジョイント部８３の各第１コネクタ８９ａ〜８９ｄとが相対的に接近して、対応するコネクタ８８ａ〜８８ｄ、８９ａ〜８９ｄ同士を略接線方向に接続することができる。
【００８６】
この第２コネクタ８８ａ〜８８ｄと第１コネクタ８９ａ〜８９ｄとが接続する際又は接続状態になった後に、遊技盤５が遊技盤装着部４６内でｃ矢示方向に若干移動するが、フローティング手段１０７が第１コネクタ８９ａ〜８９ｄのｃ矢示方向への移動を許容するため、第２コネクタ８８ａ〜８８ｄと第１コネクタ８９ａ〜８９ｄとを円滑に接続することができる。
【００８７】
従って、第２コネクタ８８ａ〜８８ｄと第１コネクタ８９ａ〜８９ｄとが略接線方向に接続することと、接続時の第１コネクタ８９ａ〜８９ｄのフローティング動作とが相俟って、第２コネクタ８８ａ〜８８ｄと第１コネクタ８９ａ〜８９ｄとを容易且つ円滑に接続することが可能であり、接続中又は接続後の損傷等を防止することができる。
【００８８】
また第２ジョイント部３８の３個の第２コネクタ８８ａ〜８８ｄ用の取り付け部９５ａ〜９５ｃは、その一端側の各取り付け部９５ａ，９５ｂに対して他端側の各取り付け部９５ｂ，９５ｃを段差１００を介して前側に配置しているため、第２コネクタ８８ａ〜８８ｄと第１コネクタ８９ａ〜８９ｄとが略接線方向に着脱自在であるにも拘わらず、３個の第２コネクタ８８ｂ〜８８ｄの遊技盤５から後方への突出量を略同じにすることが可能であり、第２コネクタ８８ａ〜８８ｄの後方への突出量を極力小さくできる利点がある。
【００８９】
また第２ジョイント部３８の各取り付け部９５ａ〜９５ｃが平面視において略階段状であるため、構造的にも比較的簡単であって製作も容易である。しかも、３個の取り付け部９５ａ〜９５ｃの内、他端側の取り付け部９５ｃを遊技盤５の回動中心Ｏと遊技盤５の他端側から後方に離れた位置とを結ぶ線分Ｘ上に配置して、他の各取り付け部９５ａ，９５ｂを他端側の取り付け部９５ｃと略平行にしているので、各取り付け部９５ａ〜９５ｃを含む裏カバー３２の設計も容易にできる。
【００９０】
遊技盤５を遊技盤装着部４６内に固定する上下一対の固定手段５３，５４の内、下側の固定手段５４は横軸心廻りに回動する横軸式としているので、上側の固定手段５３のように遊技盤５側に切り欠き部５ａを設ける必要がなく、固定手段５４を遊技盤５の他端側に極力寄せて配置することが可能である。そのため第２ジョイント部３８を遊技盤５の下部側の他端側に配置でき、遊技盤５の前面側の領域を広く活用することができる。
【００９１】
図２１、図２２は本発明の第２の実施形態を例示する。この実施形態では、第２ジョイント部３８には３個の取り付け部９５ａ〜９５ｃが階段状に設けられ、その各取り付け部９５ａ〜９５ｃに中継基板９４ａ〜９４ｃが取り付けられている。
【００９２】
３枚の中継基板９４ａ〜９４ｃの内、他端側の２枚の中継基板９４ｂ，９４ｃには第１の実施形態と同様に縦長状に第２コネクタ８８ｃ，８８ｄ、中継コネクタ９０ｃ，９０ｄが配置されて、また一端側の中継基板９４ａには２個の第２コネクタ８８ａ，８８ｂと２個の中継コネクタ９０ａ，９０ｂとが横長状に配置されている。他の構成は第１の実施形態と同様である。
【００９３】
このように他端側の２枚の中継基板９４ｂ，９４ｃに縦長状に第２コネクタ８８ｃ，８８ｄ、中継コネクタ９０ｃ，９０ｄを配置し、一端側の中継基板９４ａに横長状に第２コネクタ８８ａ，８８ｂ、中継コネクタ９０ａ，９０ｂを配置してもよい。なお、他端側の中継基板９４ｂ，９４ｃの第２コネクタ８８ｃ，８８ｄ、中継コネクタ９０ｃ，９０ｄを横長状にしてもよい。
【００９４】
図２３、図２４は本発明の第３の実施形態を例示する。この実施形態では、第２ジョイント部３８には３個の取り付け部９５ａ〜９５ｃが階段状に設けられ、その各取り付け部９５ａ〜９５ｃに中継基板９４ａ〜９４ｃが取り付けられている。各中継基板９４ａ〜９４ｃには横長状の第２コネクタ８８ａ〜８８ｃ、中継コネクタ９０ａ〜９０ｃが上下に配置されている。
【００９５】
第１ジョイント部８３には、第２ジョイント部３８の取り付け部９５ａ〜９５ｃ、中継基板９４ａ〜９４ｃ、第２コネクタ８８ａ〜８８ｃに対応して、取り付け板１０４に取り付け部９６ａ〜９６ｃ、第１コネクタ８９ａ〜８９ｄが配置されている。第１コネクタ８９ａ〜８９ｄは横長状である。他の構成は各実施形態と同様である。
【００９６】
このように第２ジョイント部３８に中継基板９４ａ〜９４ｃを介して第２コネクタ８８ａ〜８８ｃ、中継コネクタ９０ａ〜９０ｃを横長状に配置することも可能である。
【００９７】
従って、第２ジョイント部３８の各取り付け部９４ａ〜９４ｃを階段状に構成して、その取り付け部９４ａ〜９４ｃに中継基板９４ａ〜９４ｃを介して第２コネクタ８８ａ〜８８ｃ、中継コネクタ９０ａ〜９０ｃを配置する場合には、各実施形態に例示するように、その第２コネクタ８８ａ〜８８ｃ、中継コネクタ９０ａ〜９０ｃは必要に応じて縦長状又は横長状に配置することも可能であるし、縦長状と横長状とを組み合わせて配置することも可能である。
【００９８】
図２５、図２６は本発明の第４の実施形態を例示する。この実施形態では、第２ジョイント部３８には３個の取り付け部９５ａ〜９５ｃが階段状に設けられ、その各取り付け部９５ａ〜９５ｃに中継基板９４ａ〜９４ｃが取り付けられている。中継基板９４ａ〜９４ｃには横長状の第２コネクタ８８ａ〜８８ｃと中継コネクタ９０ａ〜９０ｃとが上下に配置されている。
【００９９】
各取り付け部９５ａ〜９５ｃは、他端側の取り付け部９５ｃの前壁部９７が線分Ｘ上に略位置し、この取り付け部９５ｃと略平行に他の各取り付け部９５ａ，９５ｂが段差１００を介して設けられている。各取り付け部９５ａ〜９５ｃは、他端側の取り付け部９５ｂ，９５ｃがそれよりも一端側の取り付け部９５ａ，９５ｂの延長線よりも段差１００の寸法分だけ前側に位置している。各取り付け部９５ａ〜９５ｃは階段状に配置されているが、他端側の取り付け部９５ｂ，９５ｃが一端側の取り付け部９５ａ，９５ｂよりも後方側に位置している。
【０１００】
第１ジョイント部８３には、第２ジョイント部３８の取り付け部９５ａ〜９５ｃ、中継基板９４ａ〜９４ｃ、第２コネクタ８８ａ〜８８ｃに対応して、取り付け板１０４に取り付け部９６ａ〜９６ｃ、第１コネクタ８９ａ〜８９ｃが配置されている。第１コネクタ８９ａ〜８９ｃは横長状である。他の構成は各実施形態と同様である。
【０１０１】
このように第２ジョイント部３８の取り付け部９５ａ〜９５ｃを階段状に構成するに当たって、その各取り付け部９５ａ〜９５ｃ相互間の段差１００を小さくすれば、他端側の取り付け部９５ｃが遊技盤５から後方に離れることになる。しかし、この場合にも、一端側の取り付け部９５ａの延長線上に他の他端側の取り付け部９５ｂ，９５ｃが位置する場合に比較して、第２ジョイント部３８の他端側の第２コネクタ８８ａ〜８８ｃの後方への突出量を小さく抑えることができる。
【０１０２】
図２７、図２８は本発明の第５の実施形態を例示する。この実施形態では、第２ジョイント部３８には３個の取り付け部９５ａ〜９５ｃが階段状に設けられ、その各取り付け部９５ａ〜９５ｃにフローティング手段１０７を介して第２コネクタ８８ａ〜８８ｄが設けられている。各取り付け部９５ａ〜９５ｃは平坦状であって、段差１００を介して階段状に構成されている。
【０１０３】
各取り付け部９５ａ〜９５ｃの内、第２コネクタ８８ｂ〜８８ｄに対応する部分は、遊技盤５から略等距離の位置にあり、この各取り付け部９５ａ〜９５ｃに取り付けられた第２コネクタ８８ｂ〜８８ｄは、遊技盤５からの突出量が略同じになっている。
【０１０４】
第１ジョイント部８３には、第２ジョイント部３８の各取り付け部９５ａ〜９５ｃに対応して中継基板９４ａ〜９４ｃが設けられ、その中継基板９４ａ〜９４ｃの前面に第１コネクタ８９ａ〜８９ｄが、裏面に中継コネクタ１０８ａ〜１０８ｄが夫々装着されている。中継コネクタ１０８ａ〜１０８ｄはハーネス等を介して前枠４側の所要箇所に接続されている。その他の構成は各実施形態と同様である。
【０１０５】
このように第２ジョイント部３８に第２コネクタ８８ａ〜８８ｄを、第１ジョイント部８３に第１コネクタ８９ａ〜８９ｄを夫々設けるに当たっては、第２ジョイント部３８にフローティング手段１０７を介して第２コネクタ８８ａ〜８８ｄを設け、第１ジョイント部８３に中継基板９４ａ〜９４ｃを介して第１コネクタ８９ａ〜８９ｄを設けることも可能である。この場合にも、第２コネクタ８８ａ〜８８ｄ、第１コネクタ８９ａ〜８９ｄの方向は必要に応じて適宜選択することが可能である。
【０１０６】
図２９（Ａ）〜（Ｃ）は本発明の第６の実施形態を例示する。図２９の（Ａ）では、第２ジョイント部３８の３個の取り付け部９５ａ〜９５ｃの内、回動中心Ｏに最も近い取り付け部９５ａが遊技盤５の回動中心Ｏを結ぶ線分Ｘ上に配置され、他端側の各取り付け部９５ｂ，９５ｃがこれに略平行に形成されている。
【０１０７】
また図２９の（Ｂ）では、第２ジョイント部３８の３個の取り付け部９５ａ〜９５ｃの内、中間の取り付け部９５ｂが遊技盤５の回動中心Ｏを結ぶ線分Ｘ上に配置され、その一端側及び他端側の各取り付け部９５ａ，９５ｃがこれに略平行に形成されている。
【０１０８】
更に図２９の（Ｃ）では、第２ジョイント部３８の３個の取り付け部９５ａ〜９５ｃの全てが遊技盤５の回動中心Ｏを結ぶ線分Ｘａ〜Ｘｃ上に配置されている。その他の構成は各実施形態と同様である。
【０１０９】
このように第２ジョイント部３８に複数の取り付け部９５ａ〜９５ｃを設けるに当たっては、その何れか１個の取り付け部９５ａ〜９５ｃを遊技盤５の一端側の回動中心Ｏを結ぶ線分Ｘ上に配置し、他の取り付け部９５ａ〜９５ｃをそれと平行に設けてもよいし、各取り付け部９５ａ〜９５ｃの全てを遊技盤５の回動中心Ｏを結ぶ線分Ｘ上に配置してもよい。
【０１１０】
なお、第１コネクタ８９ａ〜８９ｄと第２コネクタ８８ａ〜８８ｄとの何れか１個の挿入代の略中央が線分Ｘに位置するか、又は第１コネクタ８９ａ〜８９ｄと第２コネクタ８８ａ〜８８ｄとの全ての挿入代の略中央が線分Ｘａ〜Ｘｃ上に位置するようにしてもよい。
【０１１１】
図３０は本発明の第７の実施形態を例示する。この実施形態では、第２ジョイント部３８には３個の取り付け部９５ａ〜９５ｃが階段状に設けられ、その各取り付け部９５ａ〜９５ｃに中継基板９４ａ〜９４ｃを介して第２コネクタ８８ａ〜８８ｄが取り付けられている。
【０１１２】
３個の取り付け部９５ａ〜９５ｃの内、その外端側の取り付け部９５ｃは、遊技盤５の回動中心Ｏと遊技盤５から後方に離れた位置とを結ぶ線分Ｘ上に配置され、この取り付け部９５ｃと略平行に他の取り付け部９５ａ，９５ｂが設けられている。
【０１１３】
また各取り付け部９５ａ〜９５ｃ間の段差１００を大きくしている。その結果、回動中心Ｏから最も遠い他端側の取り付け部９５ｃと遊技盤５との間隔が最小となり、この他端側の取り付け部９５ｃから順次一端側に移るに従って遊技盤５と取り付け部９５ｂ，９５ａとの間隔が大になっている。
【０１１４】
従って、各取り付け部９５ａ〜９５ｃの第２コネクタ８８ａ〜８８ｄは、一端側に近い側の遊技盤５からの突出量が最大であり、他端側に移るに従って突出量が小さくなっている。その他の構成は各実施形態と同様である。
【０１１５】
第２ジョイント部３８の各取り付け部９５ａ〜９５ｃを階段状に構成して、その取り付け部９５ａ〜９５ｃに第２コネクタ８８ａ〜８８ｃを設けるに当たっても、このように第２ジョイント部３８の各取り付け部９５ａ〜９５ｃ、各第２コネクタ８８ａ〜８８ｃを構成することもできる。
【０１１６】
特に各第２コネクタ８８ａ〜８８ｃは一端側に近い側から他端側に移るに従って遊技盤５から後方への突出量が小さくなっているため、他端側の遊技盤５の裏側への突出量を小さく抑えることができる。
【０１１７】
図３１は本発明の第８の実施形態を例示する。この実施形態では、第２ジョイント部３８には３個の取り付け部９５ａ〜９５ｃが段違い状に設けられ、その各取り付け部９５ａ〜９５ｃにフローティング手段１０７を介して第２コネクタ８８ａ〜８８ｄが設けられている。各取り付け部９５ａ〜９５ｃ間には傾斜部１０９が設けられ、この傾斜部１０９を介して各取り付け部９５ａ〜９５ｃが一体化されている。その他の構成は各実施形態と同様である。
【０１１８】
このように取り付け部９５ａ〜９５ｃは段違い状であってもよい。従って、取り付け部９５ａ〜９５ｃは階段状に限定されるものではない。
【０１１９】
図３２は本発明の第９の実施形態を例示する。この実施形態では、第２ジョイント部３８には３個の取り付け部９５ａ〜９５ｃが段違い状に設けられている。各取り付け部９５ａ〜９５ｃは左右両側又は外周の略全周に仕切り壁１１０が設けられており、この仕切り壁１１０内に、第２コネクタ８８ａ〜８８ｃ等を有する中継基板９４ａ〜９４ｃが配置されている。その他の構成は各実施形態と同様である。
【０１２０】
このように取り付け部９５ａ〜９５ｃ間に所定高さの仕切り壁１１０を設ける等、取り付け部９５ａ〜９５ｃが簡単な階段状を成し得ないような場合でも、取り付け部９５ａ〜９５ｃを段違い状にすることによって各第２コネクタ８８ａ〜８８ｃの突出量を小さくできる。
【０１２１】
図３３は本発明の第１０の実施形態を例示する。この実施形態では、第２ジョイント部３８に３個の取り付け部９５ａ〜９５ｃが階段状又は段違い状に設けられている。集球ケース３４には段部３４ｃが遊技盤５と略平行に形成され、その段部３４ｃの裏面に、各中継基板９４ａ〜９４ｃに対応してリブ状、その他の支持突起１１２が設けられている。
【０１２２】
支持突起１１２はその後面側が取り付け部９５ａ〜９５ｃとなっており、その各取り付け部９５ａ〜９５ｃに各中継基板９４ａ〜９４ｃが取り付けられている。各取り付け部９５ａ〜９５ｃの内、例えば遠い側の取り付け部９５ｃが線分Ｘ上に配置されている。その他の構成は各実施形態と同様である。
【０１２３】
このように段部３４ｃから後方に突出する支持突起１１２の後面側を取り付け部９５ａ〜９５ｃとする場合にも、各実施形態と同様に取り付け部９５ａ〜９５ｃを階段状又は段違い状に構成することができる。
【０１２４】
以上、本発明の各実施形態について詳述したが、本発明はこれらの実施形態に限定されるものではなく、本発明の趣旨を逸脱しない範囲で種々の変更が可能である。例えば、第２コネクタ８８ａ〜８８ｄ、第１コネクタ８９ａ〜８９ｄの縦長状、横長状等の配置方向、配置数は任意に変更が可能である。また第２コネクタ８８ａ〜８８ｄ、第１コネクタ８９ａ〜８９ｄは雄型、雌型の何れであってもよい。一般的には形状的に大きくなる雌型を中継基板９４ａ〜９４ｃに固定し、雌型に比較して小さい雄型をフローテイング手段１０７を介して支持するが、その逆でもよい。
【０１２５】
第１ジョイント部８３の第１コネクタ８９ａ〜８９ｄをフローテイング可能に設ける他、第２ジョイント部３８の第２コネクタ８８ａ〜８８ｄをフローテイング可能に設けてもよい。また第２コネクタ８８ａ〜８８ｄと第１コネクタ８９ａ〜８９ｄとの着脱時における着脱方向と直交する平面上での相対的な動きを吸収できるならば、第２コネクタ８８ａ〜８８ｄと第１コネクタ８９ａ〜８９ｄとの夫々を各基板に固定し、その少なくとも一方の基板を平面方向に移動可能に設ける等の構造を採用することも可能である。なお、通常のコネクタと同様に、第２コネクタ８８ａ〜８８ｄ、第１コネクタ８９ａ〜８９ｄは対向端側に相対的に嵌脱方向に案内する案内部を有することはいうまでもない。
【０１２６】
実施形態では、遊技盤５の裏側の裏部材として集球ケース３４を例示し、その集球ケース３４の段部３４ｃの裏側に第２ジョイント部３８を装着しているが、第２ジョイント部３８は集球ケース３４に他の取り付け板等を介して設けてもよいし、集球ケース３４以外の構成部材に設けてもよい。
【０１２７】
また第２ジョイント部３８の各取り付け部９６ａ〜９６ｃは、集球ケース３４の段部３４ｃに一体に設けているが、上部カバー３３又は集球ケース３４の段部に、これらとは別の取り付け板を設け、その取り付け板に各取り付け部９６ａ〜９６ｃを設けることも可能である。その場合には、遊技盤５の裏部材に対して第２ジョイント部３８を着脱自在に設けることも可能である。
【０１２８】
また第１ジョイント部８３の取り付け板１０４を取り付け台１０５に一体に設け、この取り付け台１０５に第１ジョイント部８３を取り付けているが、第１ジョイント部８３又は取り付け台１０５は遊技盤装着部４６の裏側で遊技盤５の第２ジョイント部３８と前後に相対向するように設ければ十分であり、その具体的な取り付け箇所、取り付け構造等は問題ではない。
【０１２９】
実施形態では、遊技盤５の一端側を当接部５０ｂと係合部５０ａとの間に挿入して他端側を遊技盤装着部４６側に押圧することにより、遊技盤５の一端側の回動中心Ｏ廻りに遊技盤５を回動させる関係から、遊技盤５の板厚方向の略中央を回動中心Ｏとしているが、遊技盤５の一端側の前隅部を係合部５０ａに係合させて、その前隅部を支点として遊技盤５を回動させる場合には、その前隅部が回動中心Ｏとなる。従って、遊技盤５の回動中心Ｏは、遊技盤装着部４６と遊技盤５との一端側の相対的構造によって前後方向に変化するが、一般的には遊技盤５の一端側の板厚内か、又はその前後近傍の範囲ということができる。
【０１３０】
また遊技盤５の遊技盤装着部４６に対する装着に際して、遊技盤５の一端側の回動中心Ｏ廻りに遊技盤５を回動させて遊技盤装着部４６に装着する。この場合、一般的には左右方向の一端側（例えば左側）を回動中心Ｏとし、他端側（例えば右側）を遊技盤装着部４６側へと押圧して縦軸心廻りに回動させるため、第２ジョイント部３８、第１ジョイント部８３は遊技盤５、遊技盤装着部４６の他端側の端部又はその近傍に配置することになる。第２ジョイント部３８、第１ジョイント部８３は、実施形態に例示の下端部又はその近傍の他、上下方向の中間部、上部又はその近傍の何れに配置してもよい。
【０１３１】
遊技盤５の上下方向の一端側（上端側又は下端側）を回動中心Ｏとし、他端側（下端側又は上端側）を遊技盤装着部４６側へと押圧して横軸心廻りに遊技盤５を回動させて装着するようにしてもよい。この場合には、第２ジョイント部３８、第１ジョイント部８３は遊技盤５、遊技盤装着部４６の他端側（下端側又は上端側）の端部又はその近傍に配置すればよい。なお、第２ジョイント部３８、第１ジョイント部８３の左右方向の位置は、左端部又はその近傍、左右方向の中間部、右端部又はその近傍の何れに配置してもよい。
【０１３２】
第２コネクタ８８ａ〜８８ｄ、第１コネクタ８９ａ〜８９ｄは回動中心Ｏ廻りに略接線方向に着脱する構成であれば十分であり、必ずしも厳密な意味での接線方向である必要はない。従って、実施形態では、複数の取り付け部の内、少なくともその何れか１個の取り付け部が回動中心Ｏと遊技盤５から後方に離れた位置とを結ぶ線分Ｘ上に略配置し、他の取り付け部がその線分Ｘに近い角度に配置する等しているが、これに限定されるものではない。例えば、何れか１個の中継基板９４ａ〜９４ｃの前面を線分Ｘ上に配置してもよいし、何れか１組の第２コネクタ８８ａ〜８８ｄと第１コネクタ８９ａ〜８９ｄとの接続時の挿入代の略中央が線分Ｘ上に位置するようにしてもよい。これは、実際の第２コネクタ８８ａ〜８８ｄの前後方向の寸法が遊技盤５の左右幅に比較して遥かに小さいためである。
【０１３３】
コネクタカバーは、第２コネクタ８８ａ〜８８ｄと中継コネクタ９０ａ〜９０ｄとの間にあって、中継コネクタ９０ａ〜９０ｄのハーネス９１ａ〜９１ｄの第２コネクタ８８ａ〜８８ｄ側への食み出しを防止でき、しかも遊技盤５の着脱時に第１ジョイント部８３側と干渉しない構造であれば、実施形態に例示する構造以外の構造を採用してもよい。
【０１３４】
遊技盤５は遊技盤装着部４６に対して裏側から着脱自在に装着してもよい。この場合にも第２ジョイント部３８、第１ジョイント部８３を前後に対応して配置することにより、同様に実施可能である。
【０１３５】
また各実施形態では、遊技盤５を遊技機本体１の遊技盤装着部４６に対して着脱自在に装着する場合を例示しており、遊技盤５により回動体が、遊技機本体１により支持体が夫々構成されているが、一端側の回動中心Ｏ廻りに回動する回動体と、この回動体を支持する支持体との関係を有するものであれば、遊技盤５以外の部分にも同様に採用することが可能である。
【０１３６】
例えば、遊技機本体１と、この遊技機本体１にヒンジ（回動中心Ｏ）廻りに回動自在に枢着されたガラス扉６等の開閉扉とを備えた遊技機において、その開閉扉の開閉により、遊技機本体１側と開閉扉側との間で第１コネクタ８９ａ〜８９ｄと第２コネクタ８８ａ〜８８ｄとを着脱自在に接続するような場合にも利用可能である。
【０１３７】
なお、３個の取り付け部９５ａ〜９５ｃの場合、その各取り付け部９５ａ〜９５ｃは一般的には階段状にするのが望ましいが、必ずしも取り付け部９５ａ〜９５ｃ相互が階段状である必要はない。例えば、各取り付け部９５ａ〜９５ｃは異なる寸法の段差１００を介して段違い状に配置することも可能であり、それらが階段状を呈するように整然と並べて配置する必要はない。また２個の取り付け部９５ａ，９５ｂの場合には、段差１００を介して段違い状に配置すればよい。更に各取り付け部９５ａ〜９５ｃの段差１００の部分にハーネス用、放熱用等の開口を設けることも可能である。
【０１３８】
取り付け部は回動中心Ｏに対して遠近方向に３個の場合を例示しているが、その数は遠近方向に２個又は４個でもよい。従って、取り付け部は回動中心Ｏの遠近方向に少なくとも２個あれば十分である。取り付け部の左右幅（回動中心Ｏに対して遠近方向の幅）は、実施形態では３個の内、回動中心Ｏから遠い側の２個の取り付け部９５ａ，９５ｂを略同幅程度とし、この２個の取り付け部９５ａ，９５ｂよりも近い側の取り付け部９５ｃをその左右幅よりも広くしているが、２個、４個の場合にも、同様に遠い側の幅を狭くして近い側の幅を広くすることが望ましい。勿論、全ての取り付け部の左右幅を略同幅とすることも可能である。
【０１３９】
また実施形態では、遊技盤５の裏部材の内、回動中心Ｏから遠い側に第２ジョイント部３８を配置しているが、第２ジョイント部３８は遠い側以外の位置に配置することも可能である。例えば、遊技盤５の裏部材の左右方向の略中央側に第２ジョイント部３８を設けるような場合にも、遠近方向に配置された複数の取り付け部９５ａ〜９５ｃ間に段差１００を設けて同様に構成することが可能である。
【０１４０】
第２ジョイント部３８の複数の第２コネクタ８８ａ〜８８ｄと第１ジョイント部８３の複数の第１コネクタ８９ａ〜８９ｄは略同時に着脱するようにしてもよいが、遊技盤５の回動時に動き量の大きい他端側のコネクタから回動中心Ｏに近い側のコネクタへと複数のコネクタが僅かな時間差で順次着脱するようにしてもよいし、回動中心Ｏに近い側のコネクタから他端側のコネクタへと複数のコネクタが僅かな時間差で順次着脱するようにしてもよい。
【０１４１】
遊技盤５を遊技盤５夫々内で固定する固定手段５３，５４は、実施形態に例示するものの他、多くの周知のものを採用することが可能である。更に本発明は、パチンコ機に限らず、アレンジボール機、雀球遊技機、スロットマシン等の各種の遊技機においても同様に実施することが可能である。
【符号の説明】
【０１４２】
１  遊技機本体（支持体）
４  前枠
５  遊技盤（回動体）
３２  裏カバー（裏部材）
３３  上部カバー（裏部材）
３８  第２ジョイント部
４６  遊技盤装着部
８３  第１ジョイント部
８８ａ〜８８ｄ  第２コネクタ
８９ａ〜８９ｄ  第１コネクタ
９５ａ〜９５ｃ  取り付け部
９６ａ〜９６ｃ  取り付け部
１００  段差
１０７  フローティング手段
【図１】
0005968358.tif 000002
【図２】
0005968358.tif 000003
【図３】
0005968358.tif 000004
【図４】
0005968358.tif 000005
【図５】
0005968358.tif 000006
【図６】
0005968358.tif 000007
【図７】
0005968358.tif 000008
【図８】
0005968358.tif 000009
【図９】
0005968358.tif 000010
【図１０】
0005968358.tif 000011
【図１１】
0005968358.tif 000012
【図１２】
0005968358.tif 000013
【図１３】
0005968358.tif 000014
【図１４】
0005968358.tif 000015
【図１５】
0005968358.tif 000016
【図１６】
0005968358.tif 000017
【図１７】
0005968358.tif 000018
【図１８】
0005968358.tif 000019
【図１９】
0005968358.tif 000020
【図２０】
0005968358.tif 000021
【図２１】
0005968358.tif 000022
【図２２】
0005968358.tif 000023
【図２３】
0005968358.tif 000024
【図２４】
0005968358.tif 000025
【図２５】
0005968358.tif 000026
【図２６】
0005968358.tif 000027
【図２７】
0005968358.tif 000028
【図２８】
0005968358.tif 000029
【図２９】
0005968358.tif 000030
【図３０】
0005968358.tif 000031
【図３１】
0005968358.tif 000032
【図３２】
0005968358.tif 000033
【図３３】
0005968358.tif 000034